(57)【要約】      （修正有）【課題】加熱効率、及び気体フィルターと気化ガスの熱交換率を向上させ、さらにガス気化効果の強化を図ることができる気体温度制御装置を提供する。【解決手段】気体温度制御装置は、マガジン本体１内に設けられる。マガジン本体１の一側には、バルブ１１を設けられる。また、気体温度制御装置は、気体ガスを導く熱伝導体２と、マガジン本体１及びバルブ１１を繋ぐ熱伝導ルート２１と、熱伝導体２により被覆されるとともに液状ガスを遮断するために使用される少なくとも一つの気体フィルター３と、加熱装置４と、からなる。ガスの加熱動作はマガジン本体１に設けられ、それにより、エネルギーの流出を回避し、かつ気体フィルター３を利用して既に輝発した液体ガスが熱伝導ルート２１に入り込むと同時に、加熱装置４が加熱動作を熱伝導体２上で直接行わせ、熱伝導体２により覆われた効果が気体フィルター３に伝わる。【選択図】図３
0003213204.tif 000002
【実用新案登録請求の範囲】
【請求項１】
熱伝動体と、熱伝動ルートと、少なくとも一つの気体フィルターと、加熱裝置と、からなる気体温度制御装置であって、
前記気体温度制御装置は、マガジン本体内に設けられ、前記マガジン本体の一側にはバルブが設けられ、
前記熱伝動体は、ガスの気化を導き、
前記熱伝動ルートは、前記熱伝動体の内部に形成されるとともに、前記マガジン本体及び前記バルブへ繋がっており、
前記気体フィルターは、前記熱伝導ルート内に設けられるとともに、気体熱伝導体により被覆され、
前記加熱裝置は、前記熱伝導体の一側に設けられる、ことを特徴とする、気体温度制御装置。
【請求項２】
前記加熱裝置は、制御基板と、前記熱伝動体に設けられるとともに制御基板に電気的に接続された加熱パーツと、からなり、前記制御基板には、感熱パーツに電気的に接続された温度制御モジュールが設けられ、前記熱伝導体の一側に少なくとも一つの感熱パーツが設けられることを特徴とする、請求項１に記載の気体温度制御装置。
【請求項３】
前記気体フィルターは、多孔性を有する焼結銅が設けられることを特徴とする、請求項１に記載の気体温度制御装置。 
【請求項４】
前記マガジン本体は低熱伝導のプラスチック材質であることを特徴とする、請求項１に記載の気体温度制御装置。 
【請求項５】
前記伝熱体は高熱伝熱の金属材質又はグラファイト材質のいずれか一つとすることを特徴とする、請求項１に記載の気体温度制御装置。 
【考案の詳細な説明】
【技術分野】
【０００１】
本考案は気体温度制御装置に関し、特に、微量のエネルギーで加熱源することで、エネルギーの流出を低減することができ、気化ガスの熱交換率を増加させ、ガスの気化効果を高めることができる。更には、加熱装置の体積を縮小し、ガンの電力使用を節約し、射撃の強度を安定させる気体温度制御装置に関する。
【背景技術】
【０００２】
トイガンは、通常気体をその動力源としており（例：ガスガン）、気体の圧力を利用し銃身内にある弾を駆動させて発射する効果を狙っている。射撃を行う際、ガスタンクを利用するだけでトイガンの動力源を継続的に提供することができる。但し、ガスタンクを動力源とするトイガンは、前記ガスタンク内の気体温度が比較的に低い場合、気化が不完全となってしまう問題がよく生じ、気化が不完全な場合、気体の圧力が不足することにつながり、引いては動力不足という問題が生じてしまう。そのため、業者はガスタンクに対して加熱を行うか、又はマガジンの外に加熱装置を追加設置している。
【０００３】
しかしながら、上述のガスガンの加熱方式については、以下に挙げる問題や不備が確かに存在するため、改善が待たれる。
【０００４】
一、ガスタンク又はマガジンを加熱する場合、装置の表面を加熱し過ぎてしまうという問題に直面し、火傷が発生してしまいやすくなる。仮に断熱材によってそれを覆うのであれば、体積が増加してしまうため、使用に不便が伴う。
【０００５】
ニ、ガスタンクやマガジンに対する加熱の動作は、主に液状ガスを加熱しているのであるが、不必要な状態で気化してしまいやすいため、気化が不完全になってしまうだけでなく、ガスタンク全体の加熱には大量のエネルギーを供給し続けることも必要であり、マガジンに対する加熱は、エネルギーがマガジンの外に流出してしまいやすくなる。それ故、両者の加熱効果は明らかに理想的ではない。
【０００６】
三、液状ガスは、圧力の変化又は温度の上昇によって気化現象が発生するが、射撃に必要とされる気化動作は、通常液状ガスの気化不完全をもたらすため、発生する大分子気化ガスは射撃の効果に影響を及ぼすことになる。
【考案の概要】
【考案が解決しようとする課題】
【０００７】
本考案は、ガスの加熱動作をマガジン本体内にまで範囲を制限することで、熱の流出を減少させ、加熱装置の体積を縮小することにより、マガジン本体の加熱し過ぎを回避する気体温度制御装置を提供することを目的とする。
【０００８】
また本考案は熱伝導を利用し、熱伝導し易い金属片（熱伝導体）、及び多くの面積が接触することでできる気化ガスのフィルターを利用することにより、加熱の効果及び熱交換率を向上させると同時に、加熱に必要な電力の消耗を減少させる気体温度制御装置を提供することを目的とする。
【課題を解決するための手段】
【０００９】
上述の目的を達成するために、本考案の気体温度制御装置は、マガジン本体内に設けられ、また前記マガジン本体の一側にはバルブを設けられる。前記気体温度制御装置は、熱伝導体と、熱伝導ルートと、少なくとも一つの気体フィルターと、少なくとも一つの加熱装置と、からなる。前記熱伝導体はガスの気化を導き、前記熱伝導ルートは、熱伝導体の内部に形成されるとともに、マガジン本体及びバルブへ繋がっている。前記気体フィルターは、前記熱伝導ルート内に設けられ、熱伝導体により被覆され、液状ガスを遮断する。前記加熱装置は、前記熱伝導体の一側に設けられる。
【考案の効果】
【００１０】
ユーザーが本考案を利用し、ガスガンのガスに加熱を行っている時、マガジン本体内に設けられた加熱装置を利用し加熱を行っており、熱量がマガジン本体を通じて流出してしまう状況を減少させることができる。かつ、前記加熱動作は液状ガスが発射に必要なため、揮発し、気化ガスに変化するのと同時に、フィルターを通している間に至るまで、気化ガスを熱伝動ルートを通じてバルブまで導かれるプロセスにおいて、気体フィルター内で加熱させられ、また気体フィルターが熱伝導体により覆われているため、加熱装置のエネルギーが比較的容易に熱伝導を通じて均等に気体フィルターまで伝達され、気化ガスが気体フィルター内でその大きな面積と接触し、熱エネルギーを大量に吸収することにより、ガスエネルギーの完全な気化を促進する。
【図面の簡単な説明】
【００１１】
【図１】本考案の好ましい実施例の立体透視図である。
【図２】本考案の図１のＡ−Ａ断面図である。
【図３】本考案の好ましい実施例の分解図である。
【図４】本考案の好ましい実施例のモデル図（１）である。
【図５】本考案の好ましい実施例のモデル図（２）である。
【図６】本考案の好ましい実施例のモデル図（３）である。
【図７】本考案のもう一つの好ましい実施例の構造を示した概略図である。
【考案を実施するための形態】
【００１２】
図１、図２及び図３を参照する。本考案の気体温度制御装置は、マガジン本体１内に設けられ、かつ前記マガジン本体１の一側にはバルブ１１が設けられる。前記気体温度制御装置は、伝熱体２と熱伝動ルート２１と少なくとも１つの気体フィルター３と、加熱装置４と、からなる。
【００１３】
前記熱伝導２は気化ガスを導くものである。
【００１４】
前記熱伝導ルート２１は、前記導熱体２内に形成されるとともに、前記マガジン本体１及び前記バルブ１１につながっている。
【００１５】
前記気体フィルター３は、前記熱伝導ルート２１内に設けられるとともに、前記熱伝導体２に被覆される。前記気体フィルター３は、液状ガスを遮断するものであり、そのうち、気体フィルター３は、多孔性を有する焼結銅である。
【００１６】
前記加熱装置４は、前記熱伝導体２の一側に設けられる。前記加熱装置４は、制御基板４１と、前記熱伝導体２に設けられるとともに前記制御基板４１に電気的に接続される加熱パーツ４２と、を備える。
【００１７】
これらのうち、前記マガジン本体１は、低熱伝導材質（例：プラスチック材質）からなり、前記熱伝導体２は高熱伝導材質、例えば金属材質またはグラファイト材質のうちのいずれかからなる。
【００１８】
図１から図６を同時に参照する。本実施例においては、銅の柱状になっている熱伝導体をマガジン本体１内に設けるとともに、その内部の熱伝導ルート２１をマガジン本体１内のシリンダー及びガンのバルブ１１の間の唯一の経路としている。そのため、ユーザーが射撃動作を行う時に、バルブ１１が開き、それにより液状ガスが圧力の低下に伴い気化され、また気化後の気化ガスが熱伝導ルート２１が導くバルブ１１の方向へ移動する。また熱伝導ルート２１内の気体フィルター３の特性を利用し、液状ガスが外に遮断され、気化ガスのみが通過することになる。
【００１９】
この時、本考案は制御基板４１を利用し、加熱パーツ４２を駆動させ、マガジン本体１内に設けられている加熱装置４が加熱されることにより、熱量がマガジン本体１から流出してしまうという状況が減少する。かつ、気化ガスが熱伝導ルート２１を経由して気体バルブ１１までに達するプロセスの中で、気体フィルター３の中で加熱され、気体フィルター３の多孔性の様態により熱エネルギーの伝動が容易ではないものの、熱伝導体２を経由した熱伝導体２のカバーリング効果、また熱伝導体２本体の高熱伝導係数の特質を利用することにより、熱エネルギーが均等に気体フィルター３に伝わる効果が生まれ、気体フィルター３が外から中にかけて均等に加熱を受ける状態になる。そのため、本考案は微量の電力を必要とするだけで、小さい範囲での加熱及び熱量の伝動が行われ、不必要な熱量が流出してしまうことを減少させる。また、気体フィルター３を通過する気化ガスは、多孔性を備える特性を有しているため、内部の大きな面積及び気体フィルター３が接触することにより、大量の熱エネルギーを吸収してガスの気化動作が更に完全なものとなり、ガンの射撃に係る動力がさらに安定する。
【００２０】
同時に図７を参照する。本実施例と上述の実施例は大同小異であるものの、前記熱伝導体２ａの一側には少なくとも一つの感熱パーツ２２ａが設けられ、前記制御基板４１ａには前記感熱パーツ２２ａに電気的に接続される温度制御モジュール４１１ａが設けられる。ユーザーは、銃の枝で射撃を行う前に熱伝導体２ａに対して予め予熱行為を行い、感熱パール２２ａ及び温度制御モジュール４１１ａを利用して熱伝導体２ａの温度を制御する。このようにして、熱伝導体２ａの高温状態を持続させることができるが、加熱し過ぎという現象は起きない。さらに、マガジン本体１ａ及び熱伝導体２ａの材質を利用することにより、両者の熱伝導係数の差異を増加させ、マガジン本体１ａが熱伝導体２ａのエネルギーを奪ってしまわないようにする。例えば、マガジン本体１ａはプラスチック材質を採用しており、熱伝導体２ａは金属材質またはグラファイト材質などを採用している。
【００２１】
それゆえ、全図が示している通り、本考案を使用する時には、従来技術と比較した場合、顕著に以下に掲げるメリットが存在する。
【００２２】
一、加熱装置４をマガジン本体１に設置し、気化ガスに対して直接加熱を行うことで、加熱装置４の体積を効果的に減少させることが可能となる。
【００２３】
二、気体フィルター３が液状ガスを遮断することを利用して、熱エネルギーが気化ガスに提供されるようにし、ガスの気化が完全に行われるように効率的にサポートすることにより、射撃動力の安定性を増加させるようにする。
【００２４】
三、熱伝導の効率性が高い熱伝導体を利用し、熱エネルギーの伝動を均等に気体フィルター３に対して行い、また気体フィルター３を利用して大きな面積での熱伝動を気化ガスに行うことにより、加熱の効果を大幅に向上させる。
【００２５】
四、マガジン本体１と熱伝導体２の材質の差異を利用し、熱エネルギーの流出を減少させる。
【００２６】
五、加熱の範囲を熱伝導体の部分のみに限定し、本考案は微量のエネルギーをもって加熱に集中させることにより、消費電力を効果的に節約することが可能となる。
【符号の説明】
【００２７】
１、１ａ      マガジン本体
１１          バルブ
２、２ａ      熱伝導体
２１          熱伝動ルート
２２ａ        感熱パーツ  
３            気体フィルター
４            加熱装置  
４１、４１ａ  制御基板
４１１ａ      温度制御モジュール
４２          加熱パーツ
【図１】
0003213204.tif 000003
【図２】
0003213204.tif 000004
【図３】
0003213204.tif 000005
【図４】
0003213204.tif 000006
【図５】
0003213204.tif 000007
【図６】
0003213204.tif 000008
【図７】
0003213204.tif 000009
【手続補正書】
【提出日】平成29年8月15日(2017.8.15)
【手続補正１】
【補正対象書類名】実用新案登録請求の範囲
【補正対象項目名】全文
【補正方法】変更
【補正の内容】
【実用新案登録請求の範囲】
【請求項１】
熱伝導体と、熱伝導ルートと、少なくとも一つの気体フィルターと、加熱裝置と、からなる気体温度制御装置であって、
前記気体温度制御装置は、マガジン本体内に設けられ、前記マガジン本体の一側にはバルブが設けられ、
前記熱伝導体は、ガスの気化を導き、
前記熱伝導ルートは、前記熱伝導体の内部に形成されるとともに、前記マガジン本体及び前記バルブへ繋がっており、
前記気体フィルターは、前記熱伝導ルート内に設けられるとともに、気体熱伝導体により被覆され、
前記加熱裝置は、前記熱伝導体の一側に設けられる、ことを特徴とする、気体温度制御装置。
【請求項２】
前記加熱裝置は、制御基板と、前記熱伝導体に設けられるとともに制御基板に電気的に接続された加熱パーツと、からなり、前記制御基板には、感熱パーツに電気的に接続された温度制御モジュールが設けられ、前記熱伝導体の一側に少なくとも一つの感熱パーツが設けられることを特徴とする、請求項１に記載の気体温度制御装置。
【請求項３】
前記気体フィルターは、多孔性を有する焼結銅が設けられることを特徴とする、請求項１に記載の気体温度制御装置。 
【請求項４】
前記マガジン本体は低熱伝導のプラスチック材質であることを特徴とする、請求項１に記載の気体温度制御装置。 
【請求項５】
前記熱伝導体は高熱伝熱の金属材質又はグラファイト材質のいずれか一つとすることを特徴とする、請求項１に記載の気体温度制御装置。
【手続補正２】
【補正対象書類名】明細書
【補正対象項目名】００１０
【補正方法】変更
【補正の内容】
【００１０】
ユーザーが本考案を利用し、ガスガンのガスに加熱を行っている時、マガジン本体内に設けられた加熱装置を利用し加熱を行っており、熱量がマガジン本体を通じて流出してしまう状況を減少させることができる。かつ、前記加熱動作は液状ガスが発射に必要なため、揮発し、気化ガスに変化するのと同時に、フィルターを通している間に至るまで、気化ガスを熱伝導ルートを通じてバルブまで導かれるプロセスにおいて、気体フィルター内で加熱させられ、また気体フィルターが熱伝導体により覆われているため、加熱装置のエネルギーが比較的容易に熱伝導を通じて均等に気体フィルターまで伝達され、気化ガスが気体フィルター内でその大きな面積と接触し、熱エネルギーを大量に吸収することにより、ガスエネルギーの完全な気化を促進する。
【手続補正３】
【補正対象書類名】明細書
【補正対象項目名】００１２
【補正方法】変更
【補正の内容】
【００１２】
図１、図２及び図３を参照する。本考案の気体温度制御装置は、マガジン本体１内に設けられ、かつ前記マガジン本体１の一側にはバルブ１１が設けられる。前記気体温度制御装置は、熱伝導体２と熱伝導ルート２１と少なくとも１つの気体フィルター３と、加熱装置４と、からなる。
【手続補正４】
【補正対象書類名】明細書
【補正対象項目名】００１３
【補正方法】変更
【補正の内容】
【００１３】
前記熱伝導体２は気化ガスを導くものである。
【手続補正５】
【補正対象書類名】明細書
【補正対象項目名】００１４
【補正方法】変更
【補正の内容】
【００１４】
前記熱伝導ルート２１は、前記熱伝導体２内に形成されるとともに、前記マガジン本体１及び前記バルブ１１につながっている。
【手続補正６】
【補正対象書類名】明細書
【補正対象項目名】００１９
【補正方法】変更
【補正の内容】
【００１９】
この時、本考案は制御基板４１を利用し、加熱パーツ４２を駆動させ、マガジン本体１内に設けられている加熱装置４が加熱されることにより、熱量がマガジン本体１から流出してしまうという状況が減少する。かつ、気化ガスが熱伝導ルート２１を経由して気体バルブ１１までに達するプロセスの中で、気体フィルター３の中で加熱され、気体フィルター３の多孔性の様態により熱エネルギーの伝導が容易ではないものの、熱伝導体２を経由した熱伝導体２のカバーリング効果、また熱伝導体２本体の高熱伝導係数の特質を利用することにより、熱エネルギーが均等に気体フィルター３に伝わる効果が生まれ、気体フィルター３が外から中にかけて均等に加熱を受ける状態になる。そのため、本考案は微量の電力を必要とするだけで、小さい範囲での加熱及び熱量の伝導が行われ、不必要な熱量が流出してしまうことを減少させる。また、気体フィルター３を通過する気化ガスは、多孔性を備える特性を有しているため、内部の大きな面積及び気体フィルター３が接触することにより、大量の熱エネルギーを吸収してガスの気化動作が更に完全なものとなり、ガンの射撃に係る動力がさらに安定する。
【手続補正７】
【補正対象書類名】明細書
【補正対象項目名】００２４
【補正方法】変更
【補正の内容】
【００２４】
三、熱伝導の効率性が高い熱伝導体を利用し、熱エネルギーの伝導を均等に気体フィルター３に対して行い、また気体フィルター３を利用して大きな面積での熱伝導を気化ガスに行うことにより、加熱の効果を大幅に向上させる。
【手続補正８】
【補正対象書類名】明細書
【補正対象項目名】００２７
【補正方法】変更
【補正の内容】
【００２７】
１、１ａ１        マガジン本体
１１              バルブ
２、２ａ          熱伝導体
２１              熱伝導ルート
２２ａ            感熱パーツ  
３                気体フィルター
４                加熱装置  
４１、４１ａ      制御基板
４１１ａ          温度制御モジュール
４２              加熱パーツ